(57)【要約】【課題】粉粒体の供給動作を停止することなく連続して行えるだけでなく、設置スペースを少なく抑えることが可能な粉粒体供給設備を提供する。【解決手段】本発明の粉粒体供給設備１は、粉粒体が貯められる貯留部２と、貯留部２の下端部に接続されて貯留部２内の粉粒体を排出する排出部３と、重量を計量する計量部５と、を有する複数の粉粒体供給装置１０を、対となるように設ける。対となった粉粒体供給装置１０からの粉粒体の供給を切り替えて行い、粉粒体の供給を連続して行うことが可能とする。貯留部２の下部の片側に、粉粒体が流れ込む流路断面積が下方ほど小さくなるように傾斜して粉粒体を排出部３に導く傾斜面１２ａを設け、対となる粉粒体供給装置１０を、これらの粉粒体供給装置１０における貯留部２の傾斜面１２ａが形成されていない側が対向して接近する姿勢で配置する。【選択図】図１
2019182604.tif 000002
【特許請求の範囲】
【請求項１】
粉粒体が投入されて貯められる貯留部と、貯留部の下端部に接続されて貯留部内の粉粒体を排出する排出部と、貯留部にためられている粉粒体を含んだ重量を計量する計量部と、を有する複数の粉粒体供給装置が、対となるように設けられ、
前記対となった粉粒体供給装置からの粉粒体の供給を切り替えて行うことにより、粉粒体の供給を連続して行うことが可能な粉粒体供給設備であって、
貯留部の下部の片側に、粉粒体が流れ込む流路断面積が下方ほど小さくなるように傾斜して粉粒体を排出部に導く傾斜面が設けられ、
対となる粉粒体供給装置が、これらの粉粒体供給装置における貯留部の傾斜面が形成されていない側が対向して接近する姿勢で配置されていることを特徴とする粉粒体供給設備。
【請求項２】
貯留部における中央側に寄った下端部が排出部に接続され、
排出部で粉粒体を排出するスクリュが、貯留部における下端部を通る奥行方向に延びるように配置され、
対となった粉粒体供給装置の排出部同士が横方向に接近されて配置されている
ことを特徴とする請求項１に記載の粉粒体供給設備。
【請求項３】
粉粒体供給装置の貯留部の貯留容量が、対となっている粉粒体供給装置の、一方の粉粒体供給装置の排出部から粉粒体を排出している間に、他方の粉粒体供給装置への補充動作を完了できる容量のものであることを特徴とする請求項１または２に記載の粉粒体供給設備。
【請求項４】
貯留部は、粉粒体が投入されるホッパと、ホッパから降下してきた粉粒体を排出部に導くシュートと、を有し、
前記シュートに、前記傾斜面と、この傾斜面の外周から円錐状に広がる円錐壁部と、この円錐壁部と前記ホッパとを接続して、前記ホッパ内の粉粒体を前記シュートの円錐壁部側に案内する側壁部とが形成されていることを特徴とする請求項１〜３の何れか１項に記載の粉粒体供給設備。
【請求項５】
粉粒体供給装置に、傾斜面から傾斜面に直交する姿勢で内部に突出する軸心部を中心として攪拌部材が回転する攪拌部が設けられていることを特徴とする請求項４に記載の粉粒体供給設備。
【請求項６】
貯留部と排出部とを接続する接続開口部が、シュートの円錐壁部の下端部から、この円錐壁部における、傾斜面外周に接する接線方向に沿って延びるように形成されていることを特徴とする請求項４または５に記載の粉粒体供給設備。
【請求項７】
対となった粉粒体供給装置が、排出部の出口同士が接近する向きで、複数配設されていることを特徴とする請求項１〜６の何れか１項に記載の粉粒体供給設備。
【請求項８】
排出部から粉粒体が出ることを阻止することが可能な開閉弁が設けられ、
開閉弁は、対となった粉粒体供給装置の何れかの排出部の排出口を閉じる姿勢と、対となった粉粒体供給装置の両方の排出部の排出口を開ける姿勢とに、切り替え自在とされていることを特徴とする請求項１〜７の何れか１項に記載の粉粒体供給設備。
【発明の詳細な説明】
【技術分野】
【０００１】
本発明は粉粒体供給設備に関し、特に、粉粒体を定量供給する複数の粉粒体供給装置が対となって設けられる粉粒体供給設備に関する。
【背景技術】
【０００２】
粉粒体を定量供給などする、フィーダとも称される粉粒体供給装置は、既に広く知られている。この種の粉粒体供給装置は、粉粒体が投入されるホッパと、粉粒体を排出するスクリュなどを有する排出部と、ホッパから降下してきた粉粒体を排出部に導くシュートと、シュートおよびホッパの内部の粉粒体を撹拌するいわゆるアジテータとも称される攪拌翼や駆動用モータを有する攪拌部と、これらを載せる計量部と、制御部などを備えている。そして、排出部から粉粒体を排出すると同時に、貯められている粉粒体の重量値を含めたホッパやシュート、排出部などの重量値を計測することで重量値の減少量（粉粒体の排出重量）を測定し、排出部のスクリュ回転数などを制御（調整）することで、時間当たりの排出重量（すなわち排出量）が一定となるように排出することができる。
【０００３】
この種の粉粒体供給装置では、ホッパおよびシュート（すなわち、粉粒体が投入され貯められる貯留部）内の粉粒体がなくなりかけた場合でも、連続運転を可能にすべく、定量供給動作を停止せずに、以下のような方法（ロック制御方式とも称せられる）を採用している。すなわち、貯留部内の粉粒体がなくなりかけた段階で、排出部のスクリュなどをそれまでの回転速度と同じ一定速度で回転させて（回転数を固定して運転するいわゆるロック運転させて）供給動作を継続しながら、貯留部内に粉粒体を補給する。なお、この時点では、貯留部内に粉粒体が補給されて重量が変動し（増加し）、粉粒体の供給（排出）重量自体が不明であるため、重量による排出部のスクリュの回転速度の制御は行わずに、直前の回転速度を常に維持している（すなわち回転速度をロックする）。
【０００４】
ところが、このロック制御方式とも称せられる方法によれば、連続運転は可能となるものの、粉粒体の補給時での排出制御は行えないため、排出重量が一定とは限らない状態で供給（排出）せざるを得ない。したがって、このような排出重量が一定とは限らない状態で供給（排出）する動作を最小限に抑える方法の１つとしては、大容量の粉粒体供給装置を採用して、定量供給動作（排出動作）をできるだけ長い時間継続させ、稼働時間の割合をできるだけ大きくする（停止時間の割合を最小限に抑える）ことが考えられる。
【０００５】
しかし、この場合には、大容量のホッパなどの貯留部を設ける必要があるため、設備のコストが増加するだけでなく、粉粒体供給装置の設置場所として大きなスペースが必要となる。また、大容量の貯留部の採用によって最大粉体圧が大きくなるため、その粉体圧により粉粒体が締まりやすくなることでブリッジが生じ易くなる。また、全量排出した状態での貯留部内での粉粒体の残量が多くなり易い。
【０００６】
さらに、貯留部内の大容量の粉粒体を良好に攪拌しなければならなくなるため、攪拌翼が大型化するとともに、この攪拌翼を良好に駆動する駆動力の大きなモータが必要となり、製造コストの増加を招いてしまう。
【０００７】
また、大容量の粉粒体を計量するために、大容量を計量できる計量部が必要となる。このように大容量を計量できる計量部を使用すると、計量部に設けられているロードセルなども大容量対応のものとしなければならないため、計量部が高価となる。また、計量部は、分銅を載台に載せて校正する校正作業が一定期間ごとに必要であるが、この際に用いる分銅も極めて重いものとなるため、校正作業の労力が極めて大きくなるとともに、危険となり易い。
【０００８】
このように、大容量の粉粒体を供給できるような１台の粉粒体供給装置を用いることで、作業能率の低下に対して対処しようとすると、上記のような多くの問題を生じてしまう。このような問題を解決する方法として、粉粒体供給装置を２台設け、２台の粉粒体供給装置から粉粒体を交互に供給することが考えられる。すなわち、粉粒体供給装置を２台設けて、１台の粉粒体供給装置で定量的に供給（排出）している間に、もう１台の粉粒体供給装置に対しては、粉粒体を供給（排出）していない状態で貯留部内に粉粒体を補給し、１台の粉粒体供給装置からの供給を停止すると同時に、もう１台の粉粒体供給装置から供給を開始することが考えられる。この場合には、１台の粉粒体供給装置からの供給停止タイミングと、もう１台の粉粒体供給装置からの供給開始タイミングとを合わせて、２台の粉粒体供給装置の停止動作と排出開始動作を瞬間的に切り替えることとなる（瞬時切替方式とも称する）。
【０００９】
この瞬時切替方式によれば、粉粒体供給装置による粉粒体供給動作を瞬時に切り替えることができるため、全体的には、粉粒体の供給動作を殆ど停止することなく連続して（継続して）行うことができる。
【００１０】
しかしながら、このような従来の方法（瞬時切替方式）では、供給を開始する側の粉粒体供給装置における攪拌翼やこの攪拌翼の駆動モータ、並びに排出部のスクリュとこのスクリュ駆動用のモータなどを、停止状態から急激に所定の回転駆動状態まで駆動開始させるため、供給動作の開始直後の供給量が不安定となり易い。
【００１１】
これに対処する方法としては、粉粒体供給装置を２台設け、２台の粉粒体供給装置から粉粒体を交互に供給するとともに、粉粒体の供給切替時に、一方の粉粒体供給装置からの供給量を徐々に減少させるとともに、これと並行して、他方の粉粒体供給装置の供給量を、前記減少量に対応させて徐々に増加させることが考えられる（並行切替方式と称す）。
【００１２】
この並行切替方式を用いることで、粉粒体の供給動作を停止することなく継続して（連続して）行うことができるだけでなく、粉粒体の供給切替時に、各粉粒体供給装置の供給量が徐々に減少または増加されるので、供給切替時での供給を安定して行うことができる。
【先行技術文献】
【特許文献】
【００１３】
【特許文献１】特公昭６２−５６０５０号公報
【発明の概要】
【発明が解決しようとする課題】
【００１４】
しかしながら、上記した瞬時切替方式や並行切替方式では、何れも２台の粉粒体供給装置を用いるため、例えば、単に２台の粉粒体供給装置を横に並べて配置した場合に、各粉粒体供給装置に補給する場所や、各粉粒体供給装置から供給（排出）する場所が離れていると、各粉粒体供給装置に補給する補給装置や、各粉粒体供給装置から供給（排出）された粉粒体を集めて供給する装置なども大型化して、その分の設置スペースも多大となる恐れがある。また、従来と同様な大きさの粉粒体供給装置を用いると、これらの２台の粉粒体供給装置を合わせた設置スペースとして大きなスペースが必要となる。また、これに伴って、設備全体の費用が増大する恐れもある。
【００１５】
本発明は上記課題を解決するもので、粉粒体の供給動作を停止することなく連続して行えるだけでなく、設置スペースを少なく抑えることが可能な粉粒体供給設備を提供することを目的とするものである。
【課題を解決するための手段】
【００１６】
上記課題を解決するために本発明の粉粒体供給設備は、粉粒体が投入されて貯められる貯留部と、貯留部の下端部に接続されて貯留部内の粉粒体を排出する排出部と、貯留部にためられている粉粒体を含んだ重量を計量する計量部と、を有する複数の粉粒体供給装置が、対となるように設けられ、前記対となった粉粒体供給装置からの粉粒体の供給を切り替えて行うことにより、粉粒体の供給を連続して行うことが可能な粉粒体供給設備であって、貯留部の下部の片側に、粉粒体が流れ込む流路断面積が下方ほど小さくなるように傾斜して粉粒体を排出部に導く傾斜面が設けられ、対となる粉粒体供給装置が、これらの粉粒体供給装置における貯留部の傾斜面が形成されていない側が対向して接近する姿勢で配置されていることを特徴とする。
【００１７】
この構成によれば、対となった２台の粉粒体供給装置から粉粒体を交互に供給することにより、粉粒体を停止することなく連続して供給できる。また、対となる粉粒体供給装置を、これらの粉粒体供給装置における貯留部の傾斜面が形成されていない側が対向して接近する姿勢で配置することで、貯留部内の粉粒体を排出する排出部同士を互いに近づけて配置し易くなり、ひいては、対となる粉粒体供給装置の設置スペースなどを少なく抑えることが可能となる。
【００１８】
また、本発明は、貯留部における中央側に寄った下端部が排出部に接続され、排出部で粉粒体を排出するスクリュが、貯留部における下端部を通る奥行方向に延びるように配置され、対となった粉粒体供給装置の排出部同士が横方向に接近されて配置されていることを特徴とする。
【００１９】
この構成によれば、対となる粉粒体供給装置の貯留部同士および排出部同士が互いに接近した状態で配置できるので、これらの対となる粉粒体供給装置の設置スペースを少なく抑えることが可能となる。また、排出部の粉粒体を供給する排出口も接近して配置できる。これにより、対となる粉粒体供給装置の設置スペースを小さく抑えることが可能となるとともに、各粉粒体供給装置から供給（排出）された粉粒体を集める装置も小さくて済んだり、集める装置を設けなくても済ませたりすることができる。
【００２０】
また、本発明は、粉粒体供給装置の貯留部の貯留容量が、対となっている粉粒体供給装置の、一方の粉粒体供給装置の排出部から粉粒体を排出している間に、他方の粉粒体供給装置への補充動作を完了できる容量のものであることを特徴とする。
【００２１】
この構成によれば、粉粒体供給装置として、従来のような大容量の粉粒体を供給できるものに代えて、小容量の粉粒体を貯めることができる比較的の小型のものを用いても支障をきたすことがなくなる。したがって、対となる粉粒体供給装置の設置スペースを小さく抑えることが可能となる。
【００２２】
また、貯留部が、粉粒体が投入されるホッパと、ホッパから降下してきた粉粒体を排出部に導くシュートと、を有し、前記シュートに、前記傾斜面と、この傾斜面の外周から円錐状に広がる円錐壁部と、この円錐壁部と前記ホッパとを接続して、前記ホッパ内の粉粒体を前記シュートの円錐壁部側に案内する側壁部とが形成されていると好適である。また、粉粒体供給装置に、傾斜面から傾斜面に直交する姿勢で内部に突出する軸心部を中心として攪拌部材が回転する攪拌部が設けられていると好適である。
【００２３】
この構成によれば、攪拌部材がシュートの内部における下部から斜め上方に向けて傾斜した状態で突出する軸心部を中心として回転するので、攪拌部の攪拌部材により、粉粒体が斜め方向すなわち、上下方向および周方向の様々な方向に動かされて攪拌される。これにより、シュートやホッパの内部の粉粒体が良好に攪拌され、ブリッジやラットホールの発生を防止できる。
【００２４】
また、貯留部と排出部とを接続する接続開口部が、シュートの円錐壁部の下端部から、この円錐壁部における、傾斜面外周に接する接線方向に沿って延びるように形成されていると好適である。この構成によれば、接続開口部が設けられる寸法範囲を比較的大きくすることができて、貯留部からの粉粒体を排出部内に良好に導きながら排出することができる。
【００２５】
また、本発明は、対となった粉粒体供給装置が、排出部の出口同士が接近する向きで、複数配設されていることを特徴とする。この構成により、対となった粉粒体供給装置が、複数配設されている場合でも、粉粒体が排出（供給）される箇所をまとめることができる。
【００２６】
また、本発明は、排出部から粉粒体が出ることを阻止することが可能な開閉弁が設けられ、開閉弁は、対となった粉粒体供給装置の何れかの排出部の排出口を閉じる姿勢と、対となった粉粒体供給装置の両方の排出部の排出口を開ける姿勢とに、切り替え自在とされていることを特徴とする。
【００２７】
この構成によれば、供給を停止して粉粒体を補給する粉粒体供給装置の排出部から粉粒体が出ることを開閉弁により阻止することができる。したがって、粉粒体を補給している粉粒体供給装置の排出部から粉粒体が出ることを確実に防止できる。
【発明の効果】
【００２８】
本発明によれば、複数の粉粒体供給装置を対となるように設け、対となる粉粒体供給装置を、これらの粉粒体供給装置における貯留部の傾斜面が形成されていない側が対向して接近する姿勢で配置することにより、貯留部内の粉粒体を排出する排出部同士を互いに近づけて配置し易くなり、ひいては、対となる粉粒体供給装置の設置スペースなどを少なく抑えることが可能となる。
【００２９】
また、貯留部における中央側に寄った下端部を排出部に接続し、排出部で粉粒体を排出するスクリュを、貯留部における下端部を通る奥行方向に延びるように配置し、対となった粉粒体供給装置の排出部同士を横方向に接近させて配置することにより、対となる粉粒体供給装置の貯留部同士および排出部同士が互いに接近した状態で配置できるので、これらの対となる粉粒体供給装置の設置スペースを少なく抑えることが可能となる。また、排出部の粉粒体を供給する排出口も接近して配置できる。これにより、対となる粉粒体供給装置の設置スペースを小さく抑えることが可能となるとともに、各粉粒体供給装置から供給（排出）された粉粒体を集める装置も小さくて済んだり、集める装置を設けなくても済ませたりすることができる。
【００３０】
また、粉粒体供給装置の貯留部の貯留容量が、対となっている粉粒体供給装置の、一方の粉粒体供給装置の排出部から粉粒体を排出している間に、他方の粉粒体供給装置への補充動作を完了できる容量のものとすることにより、粉粒体供給装置として、従来のような大容量の粉粒体を供給できるものに代えて、小容量の粉粒体を貯めることができる比較的の小型のものを用いても支障をきたすことがない。したがって、対となる粉粒体供給装置の設置スペースを小さく抑えることが可能となる。また、粉粒体供給装置として小型のものを用いることができるため、製造コストを低減することができる。また、小容量の貯留部の採用によって、ブリッジが生じ難くなるとともに貯留部内での粉粒体の残量も少なくなる。さらに、攪拌翼も小さいもので済ますことができるとともに、この攪拌翼を駆動するモータとして駆動力の小さいもので済ますこともできて、製造コストを低減できる。計量部としても小容量を計量できる計量部で済んで、より細かい目量で計量することが可能となって高精度となるとともに安価となる。また、計量部の校正作業に使用する分銅も比較的軽いもので済むため、校正作業の労力を低減させることもできる。
【００３１】
また、貯留部が、粉粒体が投入されるホッパと、ホッパから降下してきた粉粒体を排出部に導くシュートと、を有し、前記シュートに、前記傾斜面と、この傾斜面の外周から円錐状に広がる円錐壁部と、この円錐壁部と前記ホッパとを接続して、前記ホッパ内の粉粒体を前記シュートの円錐壁部側に案内する側壁部とを形成したり、傾斜面から傾斜面に直交する姿勢で内部に突出する軸心部を中心として攪拌部材が回転する攪拌部を設けたりすることにより、シュートやホッパの内部の粉粒体が良好に攪拌できて、ブリッジやラットホールの発生を防止できる。
【００３２】
また、貯留部と排出部とを接続する接続開口部を、シュートの円錐壁部の下端部から、この円錐壁部における、傾斜面外周に接する接線方向に沿って延びるように形成することにより、接続開口部が設けられる寸法範囲を比較的大きくすることができて、例え、粉粒体供給装置として比較的小型のものを採用する場合でも、貯留部からの粉粒体を排出部内に良好に導きながら排出することができる。
【００３３】
また、対となった粉粒体供給装置を、排出部の出口同士が接近する向きで、複数配設することにより、対となった粉粒体供給装置が、複数配設されている場合でも、粉粒体が排出（供給）される箇所をまとめることができ、複数対の粉粒体供給装置の設置スペースを小さく抑えることが可能となる。また、各粉粒体供給装置から供給（排出）された粉粒体を集める装置も小さくて済んだり、集める装置を設けなくても済ませたりすることができる。
【００３４】
また、排出部から粉粒体が出ることを阻止することが可能な開閉弁を設け、開閉弁が、対となった粉粒体供給装置の何れかの排出部の排出口を閉じる姿勢と、対となった粉粒体供給装置の両方の排出部の排出口を開ける姿勢とに、切り替え自在とすることにより、供給を停止して粉粒体を補給する粉粒体供給装置の排出部から粉粒体が出ることを開閉弁により阻止することができ、粉粒体を補給している粉粒体供給装置の排出部から粉粒体が出ることを確実に防止でき、ひいては信頼性を向上させることができる。
【図面の簡単な説明】
【００３５】
【図１】本発明の実施の形態に係る粉粒体供給設備の正面図である。
【図２】同粉粒体供給設備の平面図である。
【図３】同粉粒体供給設備の側面図である。
【図４】同粉粒体供給設備における粉粒体供給方法の指示供給流量を示す図である。
【図５】同粉粒体供給設備における他の粉粒体供給方法の指示供給流量を示す図である。
【図６】左側に従来の粉粒体供給装置の側面図を示し、右側に本発明の実施の形態に係る粉粒体供給設備の正面図を示す。
【図７】同従来の粉粒体供給装置の平面図である。
【図８】同従来の粉粒体供給装置の正面図である。
【図９】同従来の粉粒体供給装置を対となるように配置した従来の粉粒体供給設備の側面図である。
【図１０】本発明の他の実施の形態に係る粉粒体供給設備の正面図である。
【発明を実施するための形態】
【００３６】
以下、本発明の実施の形態に係る粉粒体供給設備および粉粒体供給方法を、図面に基づき説明する。
図１〜図３に示すように、本発明の実施の形態に係る粉粒体供給設備１には、粉粒体供給装置１０が対となって設けられている。各粉粒体供給装置１０は、粉粒体が投入されて貯められる貯留部２と、貯留部２の下端部に接続されて貯留部２内の粉粒体を排出する排出部３と、貯留部２および排出部３などが載せられて、貯留部２に貯められている粉粒体の重量を含めて貯留部２および排出部３などの重量を計量する計量部５と、をそれぞれ有する。なお、この実施の形態では、粉粒体供給設備１に、対となった２つの粉粒体供給装置１０が設けられている。そして、後述するように、これらの対となった粉粒体供給装置１０からの粉粒体の供給を切り替えて行うことにより、粉粒体の供給を連続して行うことが可能とされている。また、粉粒体供給設備１には、各粉粒体供給装置１０の貯留部２に粉粒体を補給する補給装置６が設けられているとともに、各粉粒体供給装置１０の排出部３から排出される粉粒体を合わせて供給（排出）する排出出口筒１５なども設けられている。
【００３７】
さらに、粉粒体供給設備１には、これらの粉粒体供給装置１０を制御する図外の制御部が設けられている。なお、粉粒体供給設備１には、制御部などに対して各種のデータを入出力可能かつ表示可能な指示計などが設けられていることが好ましいが、これに限るものではなく、この指示計が粉粒体供給設備１とは別に設けられて、粉粒体供給設備１に接続されていてもよい。
【００３８】
制御部は、一方の粉粒体供給装置１０からの供給動作と、他方の粉粒体供給装置１０からの供給動作とを切り替えながら行うよう制御し、このような構成によって、粉粒体供給設備１が、対となった粉粒体供給装置１０からの粉粒体の供給を交互に切り替え、粉粒体の供給を連続して行うよう構成されている。また、この実施の形態では、制御部は、供給切替時に、一方の粉粒体供給装置１０からの供給量を徐々に減少させるよう制御するとともに、これと並行して、他方の粉粒体供給装置１０の供給量を、前記減少量に対応させて徐々に増加させるよう制御する。なお、制御部は、２台の粉粒体供給装置１０とも制御する制御部を１つ設けてもよいが、これに代えて、各粉粒体供給装置１０を制御する制御部をそれぞれ設けて、２台の制御部同士が協働して各粉粒体供給装置１０を制御するよう構成してもよい。
【００３９】
ここで、対となった２つの粉粒体供給装置１の各貯留部２には、粉粒体が投入（補給）されるホッパ１１と、ホッパ１１から降下してきた粉粒体を排出部３に導くシュート１２と、から構成され、粉粒体供給装置１０のシュート１２内には、シュート１２内の粉粒体を攪拌する攪拌部１３が設けられている。
【００４０】
ホッパ１１およびシュート１２の上部（シュート１２の側壁部１２ｃ）は、平面視して円形で上下方向に同じ横断面形状、すなわち直筒型の円形状とされ、シュート１２の下部後面側（すなわち、貯留部２の下部の片側）には、その内面側が斜め上方に臨むように傾斜する（つまり、下方ほど前方に寄るように傾斜する）傾斜面１２ａが形成されており、この傾斜面１２ａにより、粉粒体が流れ込む流路断面積が下方ほど小さくなる形状として粉粒体を排出部３に導くよう構成されている。
【００４１】
攪拌部１３は、軸心部１３ａを中心に攪拌翼からなる攪拌部材１３ｂが傾斜面１２ａの外側に取り付けられている減速機構付きの攪拌用モータ１３ｃにより回転され、この実施の形態では、攪拌部１３の軸心部１３ａが、傾斜面１２ａに対して直交してシュート１２の内部中心に向けて突出するように配設されている。
【００４２】
また、シュート１２の傾斜面１２ａは、傾斜面１２ａに直交する方向から見て円形に形成され、また、この実施の形態では、攪拌部１３の攪拌部材１３ｂは、傾斜面１２ａの直径方向に沿って延び、さらに径方向に延びた先端部から屈曲して、シュート１２の傾斜面１２ａに続いて形成された円錐壁部１２ｂに沿うように傾斜して広がった形状で配設されている。また、この粉粒体供給装置１０では、図２、図３に示すように、シュート１２の側壁部１２ｃにおける下方側が幅方向に広がって、上方側よりも下方側が大きい横断面形状に形成されているが、図１に示すように、側面視して、前端の側壁部１２ｃと後端の側壁部１２ｃとは上下方向には真直ぐに形成され、これらの側壁部１２ｃが周方向および上下方向になだらかにつながる形状に形成されている。なお、ホッパ１１の上面部には、粉粒体が内部に補給された際に内部の空気をホッパ１１の外に排出するフィルタ（粉粒体外部飛散防止用）付きの排気筒１１ａと、後述する分岐供給路７の分岐出口７ａに接続カバー９を介して接続されたホッパ１１の補給口１１ｂと、が設けられている。
【００４３】
そして、攪拌部１３の攪拌部材１３ｂが、シュート１２の傾斜面１２ａおよび円錐壁部１２ｂに沿って回転することで、粉粒体が上下方向と周方向との様々な方向に動かされて良好に攪拌され、シュート１２やホッパ１１におけるブリッジの発生を極めて良好に防止できるようになっている。
【００４４】
ここで、図１に示すように、対となった２つの粉粒体供給装置１は、左右など横並びの状態で配置され、これらの粉粒体供給装置１０における貯留部２の傾斜面１２ａが形成されていない側が対向して接近する姿勢で配置されている。すなわち、図１に示すように、正面視して、対となる粉粒体供給装置１０の貯留部２は、貯留部２の傾斜面１２ａ同士が左右両側から中央側に寄る向きに配置され、シュート１２の側壁部１２ｃにおける上下に長い部分（貯留部２の傾斜面１２ａが形成されていない側）や排出部３、ホッパ１１の補給口１１ｂなどが、それぞれ接近する姿勢で（いわゆる背中合わせの状態で）配置されている。
【００４５】
各粉粒体供給装置１０の貯留部２に粉粒体を補給する補給装置６は、図１に簡略的に示すように、対となった（すなわち２台の）粉粒体供給装置１０に対して１台だけ設けられている。そして、補給装置６の補給口６ａに、下流側が二又に分岐された分岐供給路７が接続され、分岐供給路７の分岐出口７ａがそれぞれ粉粒体供給装置１０の補給口１１ｂに接続されている。分岐供給路７の分岐部７ｂには、補給装置６から各粉粒体供給装置１０への粉粒体の補給経路を切り替える切替手段としての切替弁８が設けられている。また、図示しないが、補給装置６や分岐供給路７、切替弁８は、その重量が計量部５に作用しないように、別途の支持部材などによって支持され、伸縮自在の接続カバー９などにより接続されている。なお、切替弁８は、モータや電磁弁、圧縮空気により作動するシリンダなどの駆動手段により駆動されるが、図面では省略している。
【００４６】
図１〜図３に示すように、貯留部２における中央側に寄った下端部には排出部３と接続する接続開口部３ｆが形成され、排出部３で粉粒体を排出するスクリュ３ｂが、貯留部２における下端部を通る奥行方向に延びるように配置され、これにより、対となった粉粒体供給装置１０の排出部３同士が横方向に接近されて配置されている。排出部３は、縦断面で、横方向に長いめがね形状または略円筒形状で、前後方向に延びる排出筒３ａおよびスクリュケーシング３ｅの内部に、回転軸心３ｘを中心として回転して粉粒体を排出する２軸または１軸のスクリュ３ｂ（図１、図２においてはスクリュ３ｂが２軸式の場合を示す）が配設されている。
【００４７】
ここで、貯留部２からの粉粒体は、接続開口部３ｆを通して排出部３内に導かれるが、図１〜図３に示すように、接続開口部３ｆ（およびスクリュ３ｂによる供給方向）が、シュート１２の円錐壁部１２ｂの下端部から、シュート１２の円錐壁部１２ｂにおける、シュート１２の傾斜面１２ａ外周に接する接線の方向（図２に示す平面視した状態や図３に示す側面視した状態でシュート１２の傾斜面１２ａ外周に接する接線の方向（接線に平行な方向も含む））に沿って延びるように形成されている。すなわち、図３に示すように側面視した状態で、シュート１２の円錐壁部１２ｂの下端部とその近傍箇所が、排出部３（詳しくは、スクリュケーシング３ｅ内の空間）に重なって開口するように配置されている。
【００４８】
また、これに伴って、スクリュ３ｂは、接続開口部３ｆの下方で接続開口部３ｆに沿って延びるように（いわゆる奥行方向（図２の紙面における上下方向で、図３の紙面における左右方向）に延びるように）配置されている。すなわち、スクリュ３ｂは、図２に示すように平面視したり、図３に示すように側面視したりした状態で、スクリュ３ｂの回転軸心３ｘが、シュート１２の円錐壁部１２ｂの下端部に形成されている接続開口部３ｆの下方箇所を通るとともに、この下端部箇所から、シュート１２の傾斜面１２ａ外周に接する接線と平行な方向に延びるように形成されている。
【００４９】
これにより、貯留部２と排出部３とが、比較的広い領域において（特に、図３に示すように、長い寸法範囲Ｃにおいて）接続され、接続開口部３ｆを通して、貯留部２から排出部３に良好に粉粒体が導かれるよう構成されている。また、接続開口部３ｆおよびスクリュ３ｂを含めて排出部３同士が横方向に接近されて配置できるため、ひいては排出部３を含めた粉粒体供給装置１０同士をより接近させて配置できるよう構成されている。
【００５０】
排出筒３ａの先端部には下方に開口する排出出口１５ａが形成された排出出口筒１５が接続されており、スクリュ３ｂで排出出口筒１５内に送り出された粉粒体が排出出口筒１５から下方（外部）に排出される。また、排出出口筒１５は、２台の粉粒体供給装置１０の排出部３の排出筒３ａから排出される粉粒体を合わせて排出するよう、排出出口筒１５の入口部は、両方の排出部３の排出筒３ａの出口を含む大きさとされている一方、下方ほど小さくすぼんで、排出出口筒１５の排出出口１５ａは１つとされている。また、図２、図３における３ｄはスクリュ３ｂを駆動する減速機付きスクリュモータである。
【００５１】
図２に示すように、排出出口筒１５の内部には、２台の粉粒体供給装置１０の排出部３における排出筒３ａの出口開口部を選択的に開閉する位置と中間位置Ｄとに位置決め可能とされて、排出部３から粉粒体が出ることを阻止することが可能な開閉弁１４が設けられている。なお、開閉弁１４は中立位置Ｄでは、両方の粉粒体供給装置１０の排出部３から粉粒体が出ることを許容するよう構成されている。開閉弁１４は、モータや電磁弁などの駆動手段により駆動されるが、図面では省略している。
【００５２】
上記構成の粉粒体供給設備１は、制御部によって、一方の粉粒体供給装置１０からの供給動作と、他方の粉粒体供給装置１０からの供給動作とが切り替えられるよう制御される。そして、制御部によって、供給切替時に、一方の粉粒体供給装置１０からの供給量を徐々に減少させるよう制御するとともに、これと並行して、他方の粉粒体供給装置１０の供給量を、前記減少量に対応させて徐々に増加させるよう制御する。また、一方の粉粒体供給装置１０だけで供給動作を行っている際に、粉粒体を供給していない他方の粉粒体供給装置１０に対して補給装置６から粉粒体を補給する。
【００５３】
なお、一方の粉粒体供給装置１０のみから粉粒体を定量供給している際には、補給装置６の下方の分岐供給路７に設けられている切換弁８は、一方の粉粒体供給装置１０側が閉じられて他方の粉粒体供給装置１０側が開けられる。また、排出部３における排出筒３ａの出口開口部を開閉する開閉弁１４は、他方の粉粒体供給装置１０の排出部３の出口開口部を閉じており、これにより、一方の粉粒体供給装置１０の排出部３からのみ粉粒体が供給（排出）される。また、他方の粉粒体供給装置１０のみから粉粒体を定量供給している際には、切換弁８は、他方の粉粒体供給装置１０側が閉じられて他方の粉粒体供給装置１０側が開けられ、開閉弁１４は、一方の粉粒体供給装置１０の排出部３の出口開口部を閉じており、これにより、他方の粉粒体供給装置１０の排出部３からのみ粉粒体が供給（排出）される。そして、開閉弁１４により排出部３の出口開口部が閉じられて、粉粒体を供給していない粉粒体供給装置１０に対して、粉粒体が補給される。
【００５４】
上記構成において、供給動作中である片側の粉粒体供給装置１０で、貯留部２における粉粒体の貯留量が下限値に達したことが検出されると、図４に概略的に示すように、供給動作中である粉粒体供給装置１０からの供給量が徐々に減少されるとともに、供給開始した他方の粉粒体供給装置１０からの供給量が徐々に増加される。すなわち、それまでの１台の粉粒体供給装置１０からの供給量（排出量）が、２台の粉粒体供給装置１０からの合計供給量となるように、徐々に供給量を減少・増加させながら、並行して２台の粉粒体供給装置１０が駆動される（並行運転（クロス運転）の実行）。なお、この際に開閉弁１４は、両方の排出部３の出口開口部を開けた中立位置Ｄ（図２参照）とされて、両側の排出部３から供給（排出）することが許容される。
【００５５】
なお、このような供給切替時の並行運転は、図４に概略的に示すように、一方（または他方）の粉粒体供給装置１０の減少供給動作と、他方（または一方）の粉粒体供給装置１０の増加供給動作との、開始タイミング、時間当たりの供給変動割合（すなわち、時間当たりの減少供給割合と増加供給割合）、および終了タイミングを合わせて、この後、他方（または一方）の粉粒体供給装置１０のみの供給動作に切り替えるよう構成する。しかし、これに限るものではなく、図５に概略的に示すように、減少供給動作と増加供給動作とを複数回に分けて、この間に、減少動作や増加動作を一時的に停止してそれぞれ直前の排出重量となるように定量運転を行うようにしてもよい。また、減少させる側の粉粒体を含めた貯留部２および排出部３などの重量を随時検出して、この変動状態に対応させながら、他方側の粉粒体供給装置１０の増加供給動作を行うよう構成してもよい。
【００５６】
このような粉粒体供給方法を用いることで、粉粒体の供給動作を連続して行うことができると同時に、粉粒体の供給切替時でも、時間当たりの供給重量（すなわち供給量）が一定となるよう供給することができ、供給精度を良好に維持することができる。
【００５７】
しかしながら、上記した粉粒体供給方法を用いる場合、２台の粉粒体供給装置を用いるため、従来から用いている比較的大容量の粉粒体供給装置などを用いて、単に並べて配置しただけでは、２台の粉粒体供給装置の設置スペースが多大となる。また、粉粒体供給装置１０の大きさやその配置方法により、各粉粒体供給装置に補給する場所や、各粉粒体供給装置から供給（排出）する場所が離れる配置となると、各粉粒体供給装置に補給する補給装置や、各粉粒体供給装置から供給（排出）された粉粒体を集めて供給する装置なども大型化して、その分の設置スペースも多大となる恐れがある。
【００５８】
ここで、従来は、粉粒体供給装置として大容量のものを採用して、定量供給動作（排出動作）をできるだけ長い時間継続させ、定量供給動作の稼働時間の割合をできるだけ大きくしていた（非定量状態での供給時間の割合を最小限に抑えていた）。
【００５９】
例えば、図６において左側に示すものが、従来から用いている比較的大容量の粉粒体供給装置１００である。粉粒体供給装置１００の構成要素（貯留部１０２、排出部１０３、攪拌部、計量部１０５など）の構造自体はほぼ同じであるが、１台で、できるだけ定量供給動作の稼働時間を長くすべく、大容量の粉粒体を貯めることができる大容量のホッパ１１１およびシュート１１２を有する貯留部１０２を設けている。また、貯留部１０２内の大容量の粉粒体を良好に攪拌しなければならないため、攪拌部材（攪拌翼）１１３ｂが大型化するとともに、この攪拌部材１１３ｂを良好に駆動する駆動力の大きなモータも要しており、さらに、大容量の粉粒体を計量するために、大容量を計量できる計量部１０５も必要である。なお、従来の粉粒体供給装置１００の排出部１０３は、図７、図８に示すように、シュート１１２における傾斜面１１２ａが設けられていない側を正面に見て幅方向の中央部から手前側に突出するように配設されている。また、貯留部１０２と排出部１０３とは接続開口部１０３ｆを通して接続されているが、この接続開口部１０３ｆは、図７に示すように、排出部１０３が設けられている向きに沿ってシュート１１２の下端部のみに設けられている。
【００６０】
また、従来の粉粒体供給装置１００に設けられている計量部１０５は、分銅を計量部１０５の載台に載せて校正する校正作業が一定期間ごとに必要であり、この際に用いる分銅も極めて重いものとなるため、校正作業の労力が極めて大きくなるとともに、危険となり易いなどの難点があった。また、粉粒体供給装置１００の停止時間をできるだけ短縮させようとするために、ホッパ１１１などの貯留部に粉粒体を補給する補給装置１０６として大容量を補給できる補給装置１０６が必要であり、補給装置１０６の動力が大きいものが必要となって高価となったり、補給装置１０６の設置スペースとして多大なスペースが必要となったりしていた。
【００６１】
このように大容量の粉粒体供給装置１００を２台設けると、２台の粉粒体供給装置１００の設置スペースが大型化する。例えば、このような２台の粉粒体供給装置１００を、排出部１０３からの出口が接近するように配置すべく、図９に示すように、これらの粉粒体供給装置１００における貯留部の傾斜面が形成されていない側が対向して接近する姿勢で配置することで、貯留部１０２内の粉粒体を排出する排出部１０３同士を互いに近づけて配置し易くなり、対となる粉粒体供給装置１００の設置スペースなどを若干は少なく抑えることが可能となる利点があるが、それでも２台の粉粒体供給装置１００の設置スペースとして多大なスペースが必要となる。
【００６２】
しかし、上記のように、２台の粉粒体供給装置からの粉粒体の供給を切り替えながら行うことにより、粉粒体を連続して供給することが可能となる。また、上記の手法を用いることで、上記したように、粉粒体の補給頻度が多くなっても、良好な供給精度を維持することができるため、大容量のホッパなどの貯留部１０２を設ける必要がなくなる。つまり、一方の粉粒体供給装置１０に粉粒体を補給している間に、他方の粉粒体供給装置１０だけで粉粒体を供給し続けることができる程度の大きさの貯留部２を有する粉粒体供給装置１０を設ければよく、ホッパ１１などの貯留部２を小容量のものにしても差し支えない。
【００６３】
したがって、図６において右側は本発明の実施の形態の粉粒体供給設備１を示すが、この図６において右側に示すように、従来の粉粒体供給装置１００の貯留部１０２と比較して数分の１（例えば、１／３〜１／５程度）の小容量の貯留部２を採用しても、粉粒体を連続して良好な供給精度で供給することができる。このように、貯留部２を小容量のものにすることで粉体圧を小さくできて、ブリッジが発生し難くなり信頼性が向上する。また、小容量の貯留部２を用いることで、粉粒体供給装置１０の設置スペースとして小さなスペースで済むとともに、全量排出した状態での貯留部２内での粉粒体の残量が少なくなり、これによって無駄になる原料を減少させることができる。
【００６４】
また、貯留部２内で小容量の粉粒体を攪拌するだけで済むため、攪拌部材（攪拌翼）１３ｂを小型化することができるとともに、この攪拌部材１３ｂを駆動するモータとしても駆動力の小さなもので済み、製造コストを低減することができる。また、粉粒体を計量する計量部５として、小容量を計量するもので済むため、計量部５に設けられているロードセルなども小容量対応のもので済んで、より細かい目量で計量することが可能となるため、計量精度や供給精度が向上するとともに、計量部５を安価に構成可能となる。また、校正作業の際に用いる分銅も比較的軽いものとなるため、校正作業の労力を低減することができるとともに、安全な状態で行うことができる。
【００６５】
また、上記構成によれば、貯留部２のシュート１２に、傾斜面１２ａと、この傾斜面１２ａの外周から円錐状に広がる円錐壁部１２ｂと、この円錐壁部１２ｂとホッパ１１とを接続して、ホッパ１１内の粉粒体をシュート１２の円錐壁部１２ｂ側に案内する側壁部１２ｃとを形成し、傾斜面１２ａから傾斜面１２ａに直交する姿勢で内部に突出する軸心部１３ａを中心として攪拌部材１３ｂが回転する攪拌部１３を設けている。この構成により、攪拌部材１３ｂを回転させると、攪拌部材１３ｂがシュート１２の上部から下端部まで回転して、シュート１２やホッパ１１の内部の粉粒体が良好に攪拌できて、ブリッジやラットホールの発生を防止でき、良好な供給精度を維持しながら定量供給することができる。また、攪拌部材１３ｂにより、シュート１２の傾斜面１２ｂと側壁部１２ｃとの接続箇所近傍の粉粒体を殆ど残すことなく良好に攪拌することができるため、これによってもホッパ１１内でのブリッジの発生を最小限に抑えることができるとともに、ブリッジの発生を防止するための、縦型のアジテータなどを備えなくても済む。
【００６６】
また、上記構成によれば、貯留部２と排出部３とを接続する接続開口部３ｆが、シュート１２の円錐壁部１２ｂの下端部から、この円錐壁部１２ｂにおける、傾斜面１２ａ外周に接する接線方向に沿って延びるように形成されている。この構成により、図３に示すように、接続開口部３ｆが設けられる寸法範囲Ｃを比較的大きくすることができて、粉粒体供給装置１０として比較的小型のものを採用する場合でも、貯留部２からの粉粒体を排出部３内に良好に導きながら排出することができる。
【００６７】
つまり、従来の粉粒体供給装置１００では、排出部１０３が、シュート１１２における傾斜面１１２ａが設けられていない側を正面に見て幅方向の中央部から手前側に突出するように配設され、貯留部１０２と排出部１０３とを接続する接続開口部１０３ｆが、排出部１０３が設けられている向きであるシュート１２の円錐壁部１２ｂにおける径方向に沿って設けられているため、この構造と同じ構造を採用しながら、粉粒体供給装置１００を小型化すると、接続開口部１０３ｆの開口寸法が極めて小さくなり、ひいては、貯留部１０２からの粉粒体を排出部１０３内に良好に導くことが困難となる恐れがある。
【００６８】
これに対して、本実施の形態によれば、対となる粉粒体供給装置１０の貯留部２は、貯留部２の傾斜面１１同士が左右両側から中央側に寄る向きに配置され、排出部３で粉粒体を排出するスクリュ３ｂが、貯留部２における下端部を通る奥行方向に延びるように配置されている。詳しくは、スクリュ３ｂは、図２に示すように平面視したり、図３に示すように側面視したりした状態で、スクリュ３ｂの回転軸心３ｘが、シュート１２の円錐壁部１２ｂの下端部に形成されている接続開口部３ｆの下方箇所を通るとともに、この下端部箇所から、シュート１２の傾斜面１２ａ外周に接する接線と平行な方向に延びるように形成されている。そして、貯留部２からの粉粒体を排出部３内に導く接続開口部３ｆが、図３に示すように、シュート１２の円錐壁部１２ｂの下端部から、シュート１２の円錐壁部１２ｂにおける、シュート１２の傾斜面１２ａ外周に接する接線の方向に沿って延びるように形成されている。この構成により、粉粒体供給装置１０として比較的小型のものを採用する場合でも、接続開口部３ｆを比較的大きくする（図３における寸法範囲Ｃとする）ことができて、貯留部２からの粉粒体を排出部３内に良好に導きながら排出することができる。また、攪拌部材１３ｂの接続開口部３ｆでの回転方向が、スクリュ３ｂによる押し出し方向と一致するように、攪拌部材１３ｂを回転させることで、粉粒体を排出部３内へより良好に押し込むことも可能である。
【００６９】
また、上記構成によれば、排出部３から粉粒体が出ることを阻止することが可能な開閉弁１４を設け、粉粒体を補給する際に、補給する側（すなわち、供給を停止した側）の粉粒体供給装置１０に対応する排出部３を開閉弁１４で閉じることで、この排出部３から粉粒体が出ることを阻止することができる。したがって、供給動作を停止している粉粒体供給装置１０から粉粒体が出ることを確実に防止できて信頼性を向上させることができる。なお、粉粒体を補給する際には、排出部３のスクリュ３ｂは停止しているため、排出部３内で粉粒体が空気と混ざって流動化する状況自体が発生し難くなり、また、排出部３の排出出口筒１５は開閉弁１４で閉じられているため、流動化した粉粒体が出ることも防止でき、これによっても信頼性を向上させることができる。
【００７０】
（他の実施の形態）
上記実施の形態では、粉粒体供給設備１が一対の（すなわち、２台の）粉粒体供給装置１０を備えている場合を述べたが、これに限るものではない。すなわち、１種類の粉粒体を供給する粉粒体供給設備１としては、上記構成が好適であるが、例えば、複数種類（例えば４種類）の粉粒体を連続的に供給することが可能な粉粒体供給設備５０として、図１０に示すように、対となった粉粒体供給装置１０が、排出部３の出口同士が接近する向きで、複数（この実施の形態では四対）配設してもよい。この実施の形態では、排出部３の出口側に粉粒体が供給される粉粒体被供給部（供給受部）５１が設けられ、この粉粒体被供給部５１を中心として、対となった粉粒体供給装置１０が等角度間隔（本実施の形態では９０度間隔）で配置されている。
【００７１】
上記構成において、各粉粒体供給装置１０の排出部３が、同じ向きで接近して配置されているので、対となった粉粒体供給装置１０を排出部３の出口同士が接近する向きで、複数対の粉粒体供給装置１０からなる粉粒体供給設備５０を支障なく配置することができる。また、各対となった粉粒体供給装置１０毎に、異なる種類の粉粒体を連続的に供給することも可能となる。したがって、この実施の形態では、４種類以下の粉粒体を一度にかつ連続的に安定した精度で供給（排出）することができ、しかも、排出部３の出口同士が接近する向きで、この回りを取り囲むように各粉粒体供給装置１０が配置されるため、多くの粉粒体供給装置１０を比較的小さな設置スペースに良好に配置することができる。
【００７２】
なお、上記実施の形態では、粉粒体供給設備５０が四対の粉粒体供給装置１０を備えている場合を述べたが、これに限るものではなく、粉粒体供給設備を、三対の粉粒体供給装置１０や五対以上の粉粒体供給装置１０を、粉粒体被供給部（供給受部）５１を中心として、排出部３の出口同士が接近する向きで配設してもよい。
【００７３】
また、上記の実施の形態では、粉粒体供給方法として、粉粒体供給装置１０を対となるように設け、粉粒体の供給切替時に、一方の粉粒体供給装置１０からの供給量を徐々に減少させるとともに、これと並行して、他方の粉粒体供給装置１０の供給量を、前記減少量に対応させて徐々に増加させる方法を採用した場合を述べた。しかし、これに限るものではなく、上記構成の粉粒体供給設備１、５０を、対となった２台の粉粒体供給装置１０から粉粒体を交互に供給する各種の方法を用いる場合に使用可能であり、例えば、１台の粉粒体供給装置からの供給を停止すると同時に、もう１台の粉粒体供給装置から供給を開始する（すなわち、１台の粉粒体供給装置からの供給停止タイミングと、もう１台の粉粒体供給装置からの供給開始タイミングとを合わせて、２台の粉粒体供給装置の停止動作と排出開始動作を瞬間的に切り替える瞬時切替方式）を用いる設備として、上記構成の粉粒体供給設備１、５０を使用することも可能である。
【符号の説明】
【００７４】
１      粉粒体供給設備
２      貯留部
３      排出部
５      計量部
６      補給装置
７      分岐供給路
８      切替弁
１０    粉粒体供給装置
１１    ホッパ
１２    シュート
１３    攪拌部
１４    開閉弁
１５    排出出口筒
【図１】
2019182604.tif 000003
【図２】
2019182604.tif 000004
【図３】
2019182604.tif 000005
【図４】
2019182604.tif 000006
【図５】
2019182604.tif 000007
【図６】
2019182604.tif 000008
【図７】
2019182604.tif 000009
【図８】
2019182604.tif 000010
【図９】
2019182604.tif 000011
【図１０】
2019182604.tif 000012